(57)【要約】【課題】リム部の成形体の成形用の上下型から成形体を離型すると同時にリム部の底面壁に洗浄水を水平方向若しくは斜め下方に吐出する洗浄水吐出口を開口した水洗式大便器を提供する。【解決手段】ボウル部の上部周縁に中空のリム通水路を有する水洗式大便器であって、前記リム通水路の底面壁から前記リム通水路内に略鉛直状または上り傾斜状に突出した突出壁と、前記突出壁の上端部から洗浄水の進行方向に向って連続して形成した略水平の水平底面壁とを備え、前記突出壁にその上端部から下端部に亘って略鉛直方向に貫通して開口した洗浄水吐出口を設けた。【選択図】　図２
2004084314.tif 000002
【特許請求の範囲】
【請求項１】
ボウル部の上部周縁に中空のリム通水路を有する水洗式大便器であって、前記リム通水路の底面壁から前記リム通水路内に略鉛直状または上り傾斜状に突出した突出壁と、前記突出壁の上端部から洗浄水の進行方向に向って連続して形成した略水平の水平底面壁とを備え、前記突出壁にその上端部から下端部に亘って略鉛直方向に貫通して開口した洗浄水吐出口を設けたことを特徴とする水洗式大便器。
【請求項２】
ボウル部の上部周縁に中空のリム通水路を有する水洗式大便器であって、前記リム通水路の底面壁から前記リム通水路内に略鉛直状または上り傾斜状に突出した突出壁と、前記突出壁の上端部から連続して形成した洗浄水の進行方向に向って下り傾斜の傾斜底面壁とを備え、前記突出壁にその上端部から下端部に亘って略鉛直方向に貫通して開口した洗浄水吐出口とを設けたことを特徴とする水洗式大便器。
【請求項３】
ボウル部の上部周縁に中空のリム通水路を有する水洗式大便器であって、前記リム通水路の底面壁が洗浄水の進行方向に向って徐々に下る下り傾斜突出部と、この下り傾斜突出部の先端から略鉛直状に突出した突出壁と、前記突出壁の上端部から洗浄水の進行方向に向って連続して形成した略水平の水平底面壁とを備え、前記突出壁にその上端部から下端部に亘って略鉛直方向に貫通して開口した洗浄水吐出口を設けたことを特徴とする水洗式大便器。
【請求項４】
ボウル部の上部周縁に中空のリム通水路を有する水洗式大便器であって、前記リム通水路の底面壁が洗浄水の進行方向に向って徐々に下る下り傾斜突出部と、この下り傾斜突出部の先端から略鉛直方向に突出した突出壁と、前記突出壁の上端部から洗浄水の進行方向に向って連続して形成した下り傾斜の傾斜底面壁とを備え、前記突出壁にその上端部から下端部に亘って略鉛直方向に貫通して開口した洗浄水吐出口を設けたことを特徴とする水洗式大便器。
【発明の詳細な説明】
【０００１】
【発明の属する技術分野】
本発明は、水洗式大便器に関する。
【０００２】
【従来の技術】
水洗式大便器は図１に示すように、リム部８、胴部９で構成されている。水洗式大便器の洗浄は、洗浄水が給水口１より供給されて通水路２を通り、リム通水路３に入り、リム通水路３の底面壁に穿設した複数の洗浄水吐出口４からボール５に吐水される。その後、トラップ６を通り、排水口７より排出される。
洗浄の方式によりボール５内の溜水を旋回させながら洗浄を行う水洗式大便器がある。このような水洗式大便器においては、ボール５内の溜水を洗浄水吐出口４から吐出される洗浄水によって旋回させるために洗浄水吐出口４は洗浄水を水平方向に吐出するように開口するか、若しくは斜め下方に吐出するように開口している。
【０００３】
図１７は洗浄水を水平方向に吐出する洗浄水吐出口を設ける場合の説明図である。リム通水路１００の底面壁が一段内側に隆起した段を設け、この段の縦壁部１０１の面方向に洗浄水吐出口１０２を穿設している。リム通水路１００内の洗浄水は矢印１０３方向に流れ、洗浄水吐出口１０２からボール内に矢印１０４方向に吐出される。
図１８はリム通水路の底面に洗浄水を斜め下方に吐出するための斜め穴を設ける場合の説明図である。リム通水路１０５の底面壁に斜めに洗浄水吐出口１０６をあけることにより、リム通水路１０５内の洗浄水は矢印１０７方向に流れ、洗浄水吐出口１０６から矢印１０８の方向でボール内に吐出される。
また、図１９はリム通水路１０９の底面壁にガイド部１１０を設け、このガイド部１１０に沿って斜めに洗浄水吐出口１１１を設ける場合の説明図である。ガイド部１１０の形状は底面に洗浄水の進行方向に対して下る傾斜面となっている。洗浄水吐出口１１１はガイド部１１０とほぼ同じ向きに開けられる。リム通水路１０９内の洗浄水は矢印１１２の方向に流れ、ボール内に矢印１１３の方向で吐出される。
以上のような水出し穴形状によりボール洗浄水に旋回を与えている。
【０００４】
【発明が解決しようとする課題】
通常、水洗式大便器はリム部８と胴部９とが別々に成形され、成形されたそれぞれの成形体を接着することにより得られる。図２０はリム部８の成形体を成形する型の説明図である。リム部８は上下に分割される上型１１４と下型１１５とを型組み、鋳込み泥漿を鋳込んで所定の着肉操作後、上型１１４と下型１１５を型ばらししてリム部８の成形体を得る。しかし、上下型の型ばらしと同時にリム部の底面壁に洗浄水吐出口を形成する場合、型ばらしの方向と同方向の吐出口しか形成できない。
上下型の型ばらし方向に対して斜めまたは横向きに形成する洗浄水吐出口を型によって形成するには、洗浄水吐出口の部分を形成する割型を準備し、鋳込み成形前に下型１１５の所定に位置にセットし、リム部８の成形体の中に残した状態で上下型を型ばらし、その後成形体から割型を取り出して作成している。この場合、割型の取り出し、型組みなどの工程が増え作業効率が悪い。
また、上下型によって吐出口のない形状のリム部成形体を成形した後、人や機械により穴あけ工具により洗浄水吐出口を穿設している。この場合、洗浄水吐出口を開ける専任の作業者が必要となったり、専用の穴明け用設備を必要とするなどコストダウンを図ることができない。
【０００５】
そこで、本発明の目的は、リム部の成形体の成形用の上下型から成形体を離型すると同時にリム部の底面壁に洗浄水を水平方向若しくは斜め下方に吐出する洗浄水吐出口を開口した水洗式大便器を提供する。
【０００６】
【課題を解決するための手段】
本発明は、ボウル部の上部周縁に中空のリム通水路を有する水洗式大便器であって、前記リム通水路の底面壁から前記リム通水路内に略鉛直状または上り傾斜状に突出した突出壁と、前記突出壁の上端部から洗浄水の進行方向に向って連続して形成した略水平の水平底面壁とを備え、前記突出壁にその上端部から下端部に亘って略鉛直方向に貫通して開口した洗浄水吐出口を設けたことを特徴とする。
洗浄水吐出口をリム通水路の底面壁から前記リム通水路内に略鉛直状または上り傾斜状に突出した突出壁の上端部から下端部に亘って略鉛直方向に貫通して開口しているので、リム部を成形する上下型の下型から非吸水性の材質で形成した棒状体を前記突出壁を成形する位置に下型から一体的に突設させ、成形後リム部の成形体を離型すると同時に前記棒状体の抜け跡が略水平方向に洗浄水を吐出する吐出口として形成される。
また、前記突出壁の上端部から洗浄水の進行方向に向って連続して形成した略水平の水平底面壁を備えているので、吐出口から吐出した洗浄水が水平底面壁によって略水平方向へ流れるように案内される。
【０００７】
また、本発明は、ボウル部の上部周縁に中空のリム通水路を有する水洗式大便器であって、前記リム通水路の底面壁から前記リム通水路内に略鉛直状または上り傾斜状に突出した突出壁と、前記突出壁の上端部から連続して形成した洗浄水の進行方向に向って下り傾斜の傾斜底面壁とを備え、前記突出壁にその上端部から下端部に亘って略鉛直方向に貫通して開口した洗浄水吐出口とを設けたことを特徴とする。
前記と同様に、リム部を成形する上下型の下型から非吸水性の材質で形成した棒状体を前記突出壁を成形する位置に下型から一体的に突設させ、成形後リム部の成形体を離型すると同時に前記棒状体の抜け跡が略水平方向に洗浄水を吐出する吐出口として形成される。
また、前記突出壁の上端部から連続して形成した洗浄水の下流側に向って下り傾斜の傾斜底面壁を備えているので、吐出口から吐出した洗浄水が前記傾斜底面壁によって斜め下方に偏向されてボウル部に流下する。
【０００８】
また、本発明は、ボウル部の上部周縁に中空のリム通水路を有する水洗式大便器であって、前記リム通水路の底面壁が洗浄水の進行方向に向って徐々に下る下り傾斜突出部と、この下り傾斜突出部の先端から略鉛直状に突出した突出壁と、前記突出壁の上端部から洗浄水の進行方向に向って連続して形成した略水平の水平底面壁とを備え、前記突出壁にその上端部から下端部に亘って略鉛直方向に貫通して開口した洗浄水吐出口を設けたことを特徴とする。
前記と同様に、リム部を成形する上下型の下型から非吸水性の材質で形成した棒状体を前記突出壁を成形する位置に下型から一体的に突設させ、成形後リム部の成形体を離型すると同時に前記棒状体の抜け跡が洗浄水を吐出する吐出口として形成される。この場合、洗浄水は下り傾斜突出部に案内され吐出口から斜め下方に吐出して、ボール部内に流下する。
【０００９】
また、本発明は、ボウル部の上部周縁に中空のリム通水路を有する水洗式大便器であって、前記リム通水路の底面壁が洗浄水の進行方向に向って徐々に下る下り傾斜突出部と、この下り傾斜突出部の先端から略鉛直方向に突出した突出壁と、前記突出壁の上端部から洗浄水の進行方向に向って連続して形成した下り傾斜の傾斜底面壁とを備え、前記突出壁にその上端部から下端部に亘って略鉛直方向に貫通して開口した洗浄水吐出口を設けたことを特徴とする。
前記と同様に、リム部を成形する上下型の下型から非吸水性の材質で形成した棒状体を前記突出壁を成形する位置に下型から一体的に突設させ、成形後リム部の成形体を離型すると同時に前記棒状体の抜け跡が洗浄水を吐出する吐出口として形成される。この場合、洗浄水は下り傾斜突出部と傾斜底面壁に案内され吐出口から斜め下方に吐出して、ボール部内に流下する。
【００１０】
【発明の実施の形態】
以下、本発明に係る水洗式大便器を図面に基づいて説明する。
（第１の実施例）
図２は、本発明に係る第１の実施例の水洗式大便器の洗浄水吐出口の説明図である。洗浄水の吐出口を設ける位置のリム通水路２０の底面壁２１からリム通水路２０内に略鉛直状に突出した突出壁２２を設け、突出壁２２の上端部から連続して突出壁２２の下端部の底面壁と同じ幅の水平底面壁２３を形成している。そして、突出壁２２の横方向の略中央部でその上端部から下端部まで連続し、突出壁２２を貫通した洗浄水吐出口２４を設けている。洗浄水はリム通水路２０内を突出壁２２の上流側２５から下流側２６の方向に矢印２７の方向に洗浄水吐出口２４からボール部へ矢印２８の方向で吐出する。これにより、従来の縦壁部に横穴が空いている形状と遜色のない水勢が得られ、求められる旋回力を発生する。
【００１１】
次に、前記洗浄水吐出口２４を形成するための型及び製造方法について図３、４、５、６、７、８に基づいて説明する。
図３はリム部成形用の下型の部分斜視図を示す。図が複雑になるため図からリム通水路の横壁は意図的に除いている。図４はリム部成形用の上下型の断面図で泥漿を鋳込む前の状態を示す図で、リム部成形用の鋳込み型は上型３０と下型３１からなり、下型３１は吐出口を形成する位置で略鉛直状に立ち上がり一段高くなった段形状をなしている。段形状の縦面３１ａに沿って四角柱形状の非吸水性部材３２を下型３１から突設している。
【００１２】
先ず、図５に示すように上型３０と下型３１で形成した鋳込み空間に泥漿３３を鋳込む。泥漿３３を鋳込んだ後、所定時間が経過して図６に示すように上型３０、下型３１に泥漿が着肉してリム部成形体３４が形成される。このとき非吸水性部材３２には泥漿の水分を吸収しないため泥漿３３は着肉しない。
次に、所定の肉厚が着肉した時点で余剰泥漿を排出すると図７に示すように中空のリム通水路３５を有するリム部成形体３４が形成される。
次に、図８に示すように上型３０、下型３１からリム部成形体３４を脱型すると、非吸水性部材３２の抜け跡が突出壁２２の上端部から下端部まで連続開口し、洗浄水吐出口２４が形成される。
【００１３】
上記のように脱型後の穴明け作業なしに、略水平方向に洗浄水を吐出する吐出口が開口する。また、上記第１の実施例では、下型３１は吐出口を形成する位置で略鉛直状に立ち上がり一段高くなった段形状をなしたものとしているが、図９に示すようにリム通水路３５の下流側に向って上り傾斜状に立ち上がった段形状とすることもできる。この場合、下型３１から突設する非吸水性部材３２は段形状の傾斜面３１ａに沿った形状面３２ａを設け傾斜面３１ａと密接している。そして、非吸水性部材３２の立設面はリム部成形体３４を下型３１から脱型する際に、リム部成形体３４に対して逆テーパーとならないような形状とすることは言うまでもない。
【００１４】
（第２の実施例）
図１０は、本発明に係る第２の実施例の水洗式大便器の洗浄水吐出口の説明図である。この実施例は、洗浄水の吐出口を設ける位置のリム通水路４０の底面壁から第１の実施例と同様にリム通水路４０内に略鉛直状に突出した突出壁（図示しない）を設け、突出壁の上端部から連続して洗浄水の進行方向に向って下り傾斜の傾斜底面壁４１を形成している。
そして、突出壁の横方向の略中央部でその上端部から下端部まで同じ幅で連続し、突出壁を貫通した洗浄水吐出口４２を設けている。洗浄水はリム通水路４０内を上流側から下流側の方向に矢印４３方向に流れ、洗浄水吐出口４２から傾斜底面壁４１に案内されて矢印４４のように斜め下方向でボール部へ向けて吐出する。これにより、従来の縦壁部に横穴が空いている形状と遜色のない水勢が得られ、求められる旋回力を発生する。
【００１５】
次に、前記洗浄水吐出口４２を形成するための型及び製造方法について図１１、１２に基づいて説明する。
図１１はリム部成形用の上下型の断面図で泥漿を鋳込む前の状態を示す図で、リム部成形用の鋳込み型は上型４５と下型４６からなり、下型４６は吐出口を形成する位置でその内側面が略鉛直状に立ち上がり、頂部４６ａから下り傾斜部４６ｂ形状をなしている。立ち上がりの縦面４６ｃに沿って四角柱形状の非吸水性部材４７を下型４６から突設している。
【００１６】
第１の実施例と同様に、図１１に示すように上型４５と下型４６で形成した鋳込み空間に泥漿を鋳込む。泥漿を鋳込んだ後、所定時間が経過し、所定の肉厚が着肉した時点で余剰泥漿を排出すると図１２に示すように中空のリム通水路４０を有するリム部成形体４８が形成される。非吸水性部材４７には泥漿の水分を吸収しないため泥漿は着肉しない。
次に、上型４５、下型４６からリム部成形体４８を脱型すると、非吸水性部材４７の抜け跡が突出壁の上端部から下端部まで連続開口し、洗浄水吐出口４２が形成される。
【００１７】
（第３の実施例）
図１３は、本発明に係る第３の実施例の水洗式大便器の洗浄水吐出口の説明図である。この実施例は、リム通水路５０の底面壁に洗浄水の進行方向に向って徐々に下って下方に突出する下り傾斜突出部５１を形成し、傾斜突出部５１の先端部５１ａから第１の実施例と同様にリム通水路５０内に略鉛直状に突出した突出壁（図示しない）を設け、突出壁の上端部から連続して水平底面壁を形成している。そして、突出壁の横方向の略中央部でその上端部から下端部まで連続し、突出壁を貫通した洗浄水吐出口５２を設けている。
洗浄水はリム通水路５０内を上流側から下流側の方向に矢印５３方向に流れ、洗浄水吐出口５２から傾斜突出部５１に案内されて矢印５４のように斜め下方向でボール部へ向けて吐出する。これにより、従来の縦壁部に横穴が空いている形状と遜色のない水勢が得られ、求められる旋回力を発生する
【００１８】
次に、前記洗浄水吐出口５２を形成するための型及び製造方法について図１４、１５に基づいて説明する。
図１４はリム部成形用の上下型の断面図で泥漿を鋳込む前の状態を示す図で、リム部成形用の鋳込み型は上型５５と下型５６からなり、下型５６の内側面は、吐出口を形成する位置の上流側から徐々に下り傾斜した下り傾斜面５６ａを傾斜し、下り傾斜面５６ａの最下位置近傍から略鉛直状に立ち上がり、立ち上がり頂部から水平形状をなしている。前記立ち上がりの縦面５６ｂに沿って四角柱形状の非吸水性部材５７を下型５６から突設している。
【００１９】
第１の実施例と同様に、図１４に示すように上型５５と下型５６で形成した鋳込み空間に泥漿を鋳込む。泥漿を鋳込んだ後、所定時間が経過し、所定の肉厚が着肉した時点で余剰泥漿を排出すると図１５に示すように中空のリム通水路５０を有するリム部成形体５８が形成される。非吸水性部材４７には泥漿の水分を吸収しないため泥漿は着肉しない。
次に、上型５５、下型５６からリム部成形体５８を脱型すると、非吸水性部材４７の抜け跡が突出壁の上端部から下端部まで連続開口し、洗浄水吐出口５２が形成される。
【００２０】
（第４の実施例）
図１６は、本発明に係る第４の実施例の水洗式大便器の洗浄水吐出口の説明図である。この実施例は、リム通水路６０の底面壁が洗浄水の進行方向に向って徐々に下って下方に突出する下り傾斜突出部６１を形成し、傾斜突出部６１の先端部６１ａから第１の実施例と同様にリム通水路６０内に略鉛直状に突出した突出壁（図示しない）を設け、突出壁の上端部から第２の実施例と同様に連続して突出壁の下端部の底面壁と同じ幅で洗浄水の下流側に向って下り傾斜の傾斜底面壁６２を形成している。
そして、突出壁の横方向の略中央部でその上端部から下端部まで同じ幅で連続し、突出壁を貫通した洗浄水吐出口６３を設けている。洗浄水はリム通水路６０内を上流側から下流側の方向に矢印６４方向に流れ、洗浄水吐出口６３から下り傾斜突出部６１と傾斜底面壁６２に案内されて矢印６５のように斜め下方向でボール部へ向けて吐出する。これにより、従来の縦壁部に横穴が空いている形状と遜色のない水勢が得られ、求められる旋回力を発生する。
洗浄水吐出口６３を形成するための型及び製造方法の説明は、下型の内側面の形状が前記実施例とは異なるだけであるので省略する。
【００２１】
【発明の効果】
本発明によれば、リム部の成形体の成形用の上下型から成形体を離型すると同時にリム部の底面壁にリム水出し穴を洗浄水を水平方向若しくは斜め下方に吐出する洗浄水吐出口を開口した水洗式大便器を実現できる。
【図面の簡単な説明】
【図１】水洗式大便器の構造の説明図
【図２】第１の実施例の水洗式大便器の洗浄水吐出口の説明図
【図３】第１の実施例の水洗式大便器のリム部成形用の下型３１の部分斜視図
【図４】第１の実施例の水洗式大便器のリム部成形用の上下型３０、３１の断面図
【図５】上下型３０、３１に泥漿を鋳込んだ状態図
【図６】上下型３０、３１に泥漿を鋳込んだ後、所定のリム部成形体３４が形成された状態図
【図７】リム部成形体３４から余剰泥漿を排出した後の状態図
【図８】リム部成形体３４を上下型３０、３１から脱型した状態図
【図９】図４に示す下型３１の変形例
【図１０】第２の実施例の水洗式大便器の洗浄水吐出口の説明図
【図１１】第２の実施例の水洗式大便器のリム部成形用の上下型４５、４６の断面図
【図１２】上下型４５、４６に泥漿を鋳込み所定のリム部成形体４８が形成され、余剰泥漿を排出した後の状態図
【図１３】第３の実施例の水洗式大便器の洗浄水吐出口の説明図
【図１４】第３の実施例の水洗式大便器のリム部成形用の上下型５５、５６の断面図
【図１５】上下型５５、５６に泥漿を鋳込み所定のリム部成形体５８が形成され、余剰泥漿を排出した後の状態図
【図１６】第４の実施例の水洗式大便器の洗浄水吐出口の説明図
【図１７】従来の水洗式大便器の洗浄水を水平方向に吐出する洗浄水吐出口を設ける場合の説明図
【図１８】従来の水洗式大便器のリム通水路の底面壁に洗浄水を斜め下方に吐出するための斜め穴を設ける場合の説明図
【図１９】従来の水洗式大便器のリム通水路の底面壁にガイド部を設け、このガイド部に沿って斜めにリム水出し穴を設ける場合の説明図
【図２０】リム部８の成形体を成形する型の説明図
【符号の説明】
１…給水口
２…通水路
３…リム通水路
４…洗浄水吐出口
５…ボール
６…トラップ
７…排水口
８…リム部
９…胴部
２０、３５、４０、５０、６０…リム通水路
２１…底面壁
２２…突出壁
２３…水平底面壁
２４、４２、５２、６３…洗浄水吐出口
３０、４５、５５…上型
３１、４６、５６…下型
３２、４７…非吸水性部材
３３…泥漿
３４、４８、５８…リム部成形体
４１、６２…傾斜底面壁
４１ａ…頂部
４１ｂ…下り傾斜部
５１、６１…傾斜突出部
１００、１０５、１０９…リム通水路
１０１…縦壁部
１０２、１０６、１１１…洗浄水吐出口
１１４…上型
１１５…下型
１１０…ガイド部
【図１】
2004084314.tif 000003
【図２】
2004084314.tif 000004
【図３】
2004084314.tif 000005
【図４】
2004084314.tif 000006
【図５】
2004084314.tif 000007
【図６】
2004084314.tif 000008
【図７】
2004084314.tif 000009
【図８】
2004084314.tif 000010
【図９】
2004084314.tif 000011
【図１０】
2004084314.tif 000012
【図１１】
2004084314.tif 000013
【図１２】
2004084314.tif 000014
【図１３】
2004084314.tif 000015
【図１４】
2004084314.tif 000016
【図１５】
2004084314.tif 000017
【図１６】
2004084314.tif 000018
【図１７】
2004084314.tif 000019
【図１８】
2004084314.tif 000020
【図１９】
2004084314.tif 000021
【図２０】
2004084314.tif 000022